(57)【要約】【課題】各家庭の調理場において、水切りゴミ収納器（三角水切りコーナー）を置く事によって損失している１０％〜２０％ほどの面積を回収し、限られたスペースの有効利用と同時に、清潔感を向上できる発明を提供する。【解決手段】現在使用されている一般的な水切りゴミ袋の片側の面を改良した（カバー兼調理具置き場にとなる面）水切りゴミ袋を用いる。収納器本体に固定装置を取り付けその部分より折り返して溜まった生ゴミの上に敷き新設スペースを形成する。生ゴミの上に敷かれた面はあらかじめ利用目的にあわせた加工などを施し収納器の上（内部）を調理中の油や食材汁などで汚れている調理器具の仮置きなどに有効利用する方法を使う。【選択図】図６
2010132455.tif 000002
【特許請求の範囲】
【請求項１】
通常対称に２枚が重なっている水切りゴミ袋の片側の面を水切り収納器本体に固定し水切り収納器内の生ゴミが見えないよう折り返してカバーに利用できる大きさに延長されている水切りゴミ袋。非対称面を特徴とした水切ゴミ袋。材質は限定しない。
【請求項２】
請求項１の水切りゴミ袋で、水切り収納器に固定する際に高さ（深さ）調整を可能にさせるための穴があけてある水切りゴミ袋。（図４、図５▲３▼Ａ参照）
【請求項３】
水切りゴミ袋を水切り収納器本体に簡単に固定するための付属品として、水切りゴミ袋用ズレ止メ防止器具とセットである事。（図１と図２▲２▼参照）
【請求項４】
スレ止メ防止器具の水切り収納器本体への取り付け方法は、両面テープや本体上部へのはめ込み式、ビス止メなど多数の方法があるため取り付け方法に限定はないものとする。（図面Ｐ−Ｚ▲２▼）
【請求項５】
ズレ止メ防止器具の（図３▲２▼Ｂ部）を水切りゴミ袋調整穴に入れ込みぬけずらい方法であれば凸□の形状に限定はないものとする。
【請求項６】
請求項３において、ズレ止メ防止器具が付属品としてセットとなっているが、水切り収納器本体の製造の段階にズレ止メ防止器具を加工取り付けされた場合は水切り収納器本体とセットとする。
【請求項７】
請求項６において水切り収納器本体とセットとした場合、ズレ止メ防止器具の必要性と同じ目的でズレ止メ防止の方法がかわる場合もある。
【請求項８】
請求項１で生ゴミをカバーする面が片側となってい
2010132455.tif 000003
の場合もある。
【請求項９】
請求項１において、生ゴミをカバーするための（図４  図５−▲３▼Ｃ）の延長されているカバーの面は基本的には一枚のものだが、（図６の▲Ｅ▼）のように復数枚重ねる構造で、目的は調理中の段階別にそのつど新しカバーを提供するものである。
【請求項１０】
請求項１において生ゴミをカバーする際に、材質によってはスムーズにガバー作業ができるように（図７の▲Ｄ▼参照）折返しの部分に切れ込みを入れる、又は折り返しの部分を空洞化にする場合もある。
【請求項１１】
請求項１０において（図７の▲Ｄ▼参照）について切り込みの点線で縦に入れた切り込みは、水切り収納品本体のサイズに対応したもので、横に入れた切り込みは折り曲げるときの抵抗を少くなくするもので、水切り収納器本体のサイズ、デザイン等から、切り込み又は空洞化の形状は限定できないものとする。
【請求項１２】
ズレ止メ防止器具の方法で下に垂したスソの部分を固定する事
【発明の詳細な説明】
【技術分野】
【０００１】  本発明は各家庭における  理場で、主に使用される生ゴミ収納器内に用いる水切りゴミ袋に関するものである。
【背景技術】
【０００２】  従来水切りゴミ収納器に溜まった生ゴミを外から見えないようにする水切ゴミ袋は、特許庁の電子図書館から参照しても以外にもなかったと思われる。
【発明の開示】
【発明が解決しようとする課題】
【０００３】  本発明の目的は、家庭における調理場の清潔感の向上となおかつせまい調理場スペースを有効に使用するために役立つ水切りゴミ袋を、提供する事である。
【問題を解決するための手段】
【０００４】  本発明は通常の水切りゴミ袋の合わせ重なった片側の面を延長し、折り返して生ゴミ収納器内の生ゴミ等をカバーできるだけの大きさに延長された部分の折り返す際にズレコミを防止をするため工夫がされている水切りゴミ袋を用いる事である。
【発明の実施形態】
【０００５】  以下本発明について詳細を説明する。
本発明は一般的に使用されている水切りゴミ袋をベースに改良を加えたものと、水切りゴミ収納器本体に付けるズレ止メ防止器具（図３の▲２▼参照）。又は製造加工時に水切りゴミ収納器本体にズレ止メ防止器具が付けられたものから構成されている。
【０００６】  水切りゴミ袋はポリエスチル、紙パルプフィルター、塩化ビニールなど多数の材質で造られており、この発明において材質には限定はない事とする。
【０００７】  本発明の水切りゴミ袋は、一般的な水切りゴミ袋の対称的な重なった面に対して非対称の長さになっている特徴を持っている。寸法の長い面は、水切り収納器本体に取り付けたズレコミ防止器具（図１、図２▲２▼参照）に穴を合せ込み固定し、水切り収納器にゴミが溜まったら水切りゴミ収納器の上部（図２の▲３▼Ｂ）で折り返してカバーとして使用できる水切りゴミ袋である。
【０００８】  さらにカバーされた水切りゴミ収納器の上部を、調理中の油や食材汁などがついたサエバシ、包丁などの調理具を仮置するなどのスペースとして有効利用できるものにかえてしまうものである。
【０００９】  また、水切りゴミ収納器に調理具を仮置き中に調理具についている汚れを洗い流したりするためにカバー面に穴をあけたり、抗菌処理をほどこしたり、堆肥化を促進したり、エネルギー変換を促進できる加工面など必要に応じたものに合せられるようカバーの表面加工はいろいろな処理によって必要性を高かめられる水切ゴミ袋である。
【００１０】  また、（図６の▲Ｅ▼）のようにカバー面を復数重ねて調理段階でゴミが出たらそのつど新しい面をカバーにする場合もある。
【００１１】  次に水切りゴミ袋を水切り収納器に入れ、溜まった生ゴミにカバーをする際、折り目の部分を固定するためのズレ止メ防止器具について説明する。このズレ止メ防止器具（図３の▲２▼）を各家庭で現在使用しているもの、又市販されている水切り収納器にワンタッチ、又は簡単に取り付けられる方法を用いて、水切り収納器本体上部に取り付ける（図１、図２▲２▼参照）。
【００１２】  ズレ止メ器具（図３の▲２▼Ｂ）部は、水切りゴミ袋の固定用の穴に合せ入れ込まれる部分であるが、固定方法の詳細として水切りゴミ袋（図４、図５の▲３▼Ａ）の固定用の穴の径よりも、ズレ止メ防止器具の突起部の最大径が大きいものとして、突起部形状、寸法など限定のないもである。
【００１３】  それから、この水切りゴミ袋用ズレ止メ器具が、水切り収納器本体の製造加工段階で取り付けられた製品に関しても発明の一部とする。
【００１４】  以上の様な方法と形状をしている水切りゴミ袋の使用手順に入る。
【００１５】    実施例
本発明の使用手順として、まず使用される水切りゴミ収納器本体へ水切りゴミ袋用ズレ止メ器具（図３の▲２▼）を取り付ける。そして従来の水切りゴミ袋同様に広げて水切り収納器の中に入れる。水切りゴミ袋の折り返えす部分の付近にあいている穴（図５の▲３▼Ａ）のうち寸法の（高さ、深さ）がちょうどいい穴を選び、ズレ止メ器具の突起部分に合せ込む。（図１と図２の▲２▼参照）寸法の長いカバー面は、水きり収納器の上部で折り返しエプロンのように下へ垂す。垂した下の部分は、ズレ止メ器具の方法で固定してもよい。又水切り収納器本体下部に構を入れて、水切りゴミ袋カバーのすそを入れるなどするとよい。寸法の短かい面は従来どうり水切り収納器上部にくくり付けて順備完了。生ゴミが溜ったらカバー部をめくり上げ生ゴミの上にかける。かけたあとは、調理具などの仮置場として利用しまた生ゴミが出たらカバーを上げ生ゴミを入れてカバーをしなおす。というとても簡単シンプルな使用方法である。
【発明の効果】
【００１６】  以外にも調理中に油や調理汁などがついた調理具を置く場所にとまどう事が少くなくなかったと思われる問題点の解決。
水切りゴミ収納器に溜まった生ゴミをフタなどをしたり、そのまま切りきざんで流したりいろいろな方法があると思われるが、今まで使用してきた水切りゴミ袋の形状を改良しただけでこれほど簡単に清潔感の向上、スペースの有効利用が可能になる考案としては使用してくれる多くの方々がアイディア部問に関心を持ち、生ゴミのエネルギー化とか新しい考案が出る可能性を多分に秘めていると思われる。
【産業上の利用可能性】
【００１７】  水切りゴミ袋としての利用効果が従来よりも２項目向上した点に、注目したいと思う。
【図面の簡単な説明】
【００１８】
【図１】水切り収納器と水切りゴミ袋をセットした正面図。
【図２】図１の側面図。
【図３】水キリゴミ袋用ズレ止メ防止器具の形状をあらわしたもの。
【図４】水切りゴミ袋本体の側面図。
【図５】水切りゴミ袋本体の正面図。
【図６】水切りゴミ袋のカバー部を復数に重ねた側面図。
【図７】水切りゴミ袋を使かいやすくするための切り込み線の入った水切りゴミ袋の正面図
【符号の説明】
【００１９】▲１▼  水切りゴミ収納器本体
▲２▼  水切りゴミ袋用ズレ止メ防止器具
▲２▼Ａ  水切ゴミ収納器本体への取り付け側
▲２▼Ｂ  水切りゴミ袋の穴に合せ込む部分
▲３▼  水切りゴミ袋
▲３▼Ａ  水切りゴミ収納器本体と固定する穴
▲３▼Ｂ  生ゴミのカバーとして折り曲る部分
▲３▼Ｃ  生ゴミのカバーとして使用する部分
▲Ｄ▼（図４）  カバーしやすくするための切れ込み
▲Ｅ▼（図４）  カバー面を復数枚に重ねた部分
【図１】
2010132455.tif 000004
【図２】
2010132455.tif 000005
【図３】
2010132455.tif 000006
【図４】
2010132455.tif 000007
【図５】
2010132455.tif 000008
【図６】
2010132455.tif 000009
【図７】
2010132455.tif 000010
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
通常対称に２枚が重なっている水切りゴミ袋の、片側の面（１／３，２／３なども含む）を延長した非対称面を特徴とした水切りゴミ袋を用いる。その長い面を水切り収納器本体に固定させ、折り返して水切り収納器内に溜まった生ゴミを隠すためのカバーにする。そのカバーされた表面を、調理具などの仮置きなどのスペースとして生ゴミの入った水切りゴミ収納器上部を有効利用する方法。
【請求項２】
請求項１の水切りゴミ袋において、水切りゴミ収納器本体の固定装置（ズレ止め防止器具）に固定するための穴を、収納器本体のさまざまなサイズに適合させるために複数あけてある水切りゴミ袋。（図４、図５−▲３▼Ａ参照）
【請求項３】
請求項１において、非対称の水切りゴミ袋の長い面を水切りゴミ収納器本体に簡単に固定して、カバー作業を円滑化する。カバー作業時の固定装置（ズレ止め防止器具）、及び水切りゴミ収納器本体製造時に固定装置を取り付けられたものを含め、水切りゴミ袋とセットで使用し効果の得られるもの。
【請求項４】
請求項１において、生ゴミをカバーするために延長されている面は基本的には一枚のものだが（図６−Ｅ）のように、複数枚重ねる構造にする事で料理の段階別にそのつど新しいカバーを提供できる方法。又基本的にカバー面は、生ゴミの上を利用する関係から目的に応じたさまざまな加工面（工業権配慮上）を選べるとする。
【請求項５】
請求項１のカバー作業において、水切りゴミ袋の素材の硬度や特性によっては折り返す作業の円滑性向上を図るための工夫が必要とされることから、（図７）のように切り込み、又は空洞化を折り返し部分に入れた水切りゴミ袋。
（図７）の、横方向に入れた切り込みは折り返す時の抵抗を少なくするもので、この横方向に入れた切り込みの両端に、縦方向の切り込みを入れることで収納器のサイズ（大きさ）や固定装置の位置関係に関わらずに効果を促せる。更に請求項２と複合させることによって規定許容範囲を向上させ、製造販売コスト上などにおいての軽減。またカバー作業において、万能的な効果と利便性を向上させた水切りゴミ袋。
【請求項６】
固定装置を応用して水切りゴミ袋のカバー面の先端部を水切りゴミ収納器下部や反対側上部などに固定したもの。
【手続補正２】
【補正対象書類名】明細書
【補正対象項目名】０００１
【補正方法】変更
【補正の内容】
【０００１】本発明は各家庭における調理場で、主に使用される生ゴミ収納器内に用いる水切りゴミ袋に関するものである。
【手続補正３】
【補正対象書類名】明細書
【補正対象項目名】０００４
【補正方法】変更
【補正の内容】
【０００４】本発明は水切りゴミ袋の片側の面を延長した特殊形状のものを用いる。延長された面を折り返して生ゴミ収納器内を隠すためのカバーとする。又そのカバーされた上部スペースを目的に応じた加工をカバー面にほどこしておくことで生ゴミの上を更に有効利用できる場所にかえてしまう方法を使う事である。
【手続補正４】
【補正対象書類名】明細書
【補正対象項目名】０００５
【補正方法】変更
【補正の内容】
【０００５】以下本発明について詳細を説明する。
本発明は一般的に使用されている水切りゴミ袋をベースに改良を加えたものと、水切りゴミ収納器本体に取り付けるズレ止め防止器具（図３参照）、又は製造加工時に水切りゴミ収納器本体に固定装置が取り付けられたものとから構成されている。
【手続補正５】
【補正対象書類名】明細書
【補正対象項目名】０００７
【補正方法】変更
【補正の内容】
【０００７】本発明、調理場を広く使える水切りゴミ袋は、今まで使用されてきた水きりゴミ袋の対称に合わせた面ではなく、非対称で例のない形状をしている水切りゴミ袋を用いる。また、水切りゴミ収納器本体に取り付けた固定装置（ズレ止め防止器具図１−▲２▼図２−▲２▼）とは、袋の素材がとても柔らかいものが多いことから必要になるものである。水切りゴミ袋の長く延長されている面（即ちカバー兼用の調理具置き場となる面）の折り返す部分を固定することによって、カバー作業を保護し利便性を向上させるものである。また袋の脱着も簡単に行える形状が要求される事から今回（図３）の形状を説明モデルとしたが、とにかく薄く柔らかい水切りゴミ袋をこのような方法で固定し、その部分から折り返して溜まった生ゴミを隠すカバーとする。
【手続補正６】
【補正対象書類名】明細書
【補正対象項目名】００１５
【補正方法】変更
【補正の内容】
【００１５】本発明の使用手順として、まず使用される水きりゴミ収納器本体へ水切りゴミ袋用ズレ止め器具（図３−▲２▼）を取り付ける。そして従来の水切りゴミ袋同様に広げて水切り収納器の中に入れる。水切りゴミ袋の折り返す部分付近にあけてある穴（図４−５▲３▼Ａ）の中で（高さ、深さ）寸法の合う穴を選び、ズレ止め器具の突起部分に合わせ込む。（図１−２▲２▼参照）寸法の長いカバー面は、水切り収納器の上部で折り返し下に垂らし、｛垂らした下部はデザイン等から特定は出来ないが今回のズレ止め器具を流用するなどして、簡単に固定した方が好ましいと思われる。又、水切り収納器本体に溝を入れて垂らした水切りゴミ袋の下部を入れ込むなどいろいろな方法が想定できる。｝寸法の短い面は従来どうり水切り収納器上部にくくりつけ準備が完了となる。生ゴミが溜まったらカバーをめくり上げ生ゴミの上にかける。かけた後はその上部のスペースに汚れた調理具などの置き場として、又その上で洗浄できるカバー面などにしたりすることで利用目的が増えるとも思われる。
【手続補正７】
【補正対象書類名】明細書
【補正対象項目名】００１９
【補正方法】変更
【補正の内容】
【００１９】▲１▼水切りゴミ収納器本体
▲２▼水切りゴミ袋用ズレ止め防止器具
▲２▼Ａ  水切りゴミ収納器本体への取り付け側
▲２▼Ｂ  水切りゴミ袋の穴に合わせ込む部分
▲３▼水切りゴミ袋
▲３▼Ａ  水切りゴミ収納本体に取り付けたズレ止め防止器具部に合わせ入れる調整穴
▲３▼Ｂ  生ゴミのカバーとして折り曲げる部分
▲３▼Ｃ  生ゴミのカバー兼調理具の置き場になる部分
Ｄ（図７）  カバーする際の抵抗を抑えるための切れ込
Ｅ（図６）  カバー面を複数枚に重ねたイメージ
【手続補正書】
【提出日】平成21年10月13日(2009.10.13)
【手続補正１】
【補正対象書類名】特許請求の範囲
【補正対象項目名】請求項１
【補正方法】変更
【補正の内容】
【請求項１】
通常対称に２枚が重なっている水切りゴミ袋の、片側の面（１／３，２／３なども含む）を延長した非対称面を特徴とした水切りゴミ袋を用いる。その長い面を収納器本体に取り付けた固定装置に固定する。固定部より水切りゴミ袋を折り返して収納器本体に溜まった生ゴミの上に敷き（カバー作業による）簡単な新設スペースを形成する。この形成された生ゴミ上部を調理器具などの仮置きなどの場所として使用する。生ゴミの入った収納器内部（上部）を有効に利用できるスペースにかえてしまう事で、収納器本体（三角コーナーなど）を置くことによって損失していた調理場（流し）の使用面積を、水切りゴミ袋の延長された面を使って回収する方法。（水切りゴミ袋以外でも、同じ目的で生ゴミの上にただ単に敷き新設スペースとするものは、今回の考案に含まれるものである）
【手続補正２】
【補正対象書類名】明細書
【補正対象項目名】０００２
【補正方法】変更
【補正の内容】
【０００２】従来、水切りゴミ収納器に溜まったゴミの上を有効利用する様な水切りゴミ袋は、特許庁の電子図書館から参照しても意外にも無かったと思われる。
【手続補正３】
【補正対象書類名】明細書
【補正対象項目名】０００４
【補正方法】変更
【補正の内容】
【０００４】本発明は、各家庭における調理場に使用される生ゴミ収納器（三角コーナーなど）の設置に損失しているスペースを水切りゴミ袋によって回収するものであり、従来使われている水切りゴミ袋の片側の面を延長した特殊形状の袋を用いる。延長された面（即ちカバー兼調理具の置き場となる面）を折り返して生ゴミの入った収納器内部（上部）のカバーとする。そのカバーされた上部スペースを目的に応じた加工をカバーに施しておくなどして生ゴミの上を有効利用できる新設スペースにしてしまう方法を使うことである。
（今回カバー兼調理具の置き場となる面は水切り袋の一部分になっているが、この面だけをただ単に生ゴミの上に敷き新設スペースとしたものはこの考案に含まれるとする）
【手続補正４】
【補正対象書類名】明細書
【補正対象項目名】００１６
【補正方法】変更
【補正の内容】
【００１６】以外にも調理中に油や調理汁のついた調理具を置く場所にとまどう事が少なくなかったと思われる問題点の解決。    限られた調理場（流し）スペースの中で生ゴミ収納器に１０％〜２０％損失していた面積を回収し、生ゴミの多くでる人数の多い家庭などでは、大型の収納器を使う事も可能になる。更に収納器の生ゴミが外から見えずらく清潔感が向上している。また、生ゴミをエネルギー化する考案や生ゴミを資源としての認識を促しエコ社会への貢献につながる可能性を多分に秘めている事。
【手続補正６】
【補正対象書類名】明細書
【補正対象項目名】０００７
【補正方法】変更
【補正の内容】
【０００７】本発明、調理場を広く使える水切りゴミ袋は、今まで使用されてきた水きりゴミ袋の対称に合わせた面ではなく、非対称で例のない形状をしている水切りゴミ袋を用いる。また、水切りゴミ収納器本体に取り付けた固定装置（ズレ止め防止器具  図１−▲２▼  図２−▲２▼）とは、袋の素材がとても柔らかいものが多いことから必要になるものである。水切りゴミ袋の長く延長されている面（即ちカバー兼用の調理具置き場となる面）の折り返す部分を固定することによって、カバー作業を保護し利便性を向上させるものである。また袋の脱着も簡単に行える形状が要求される事から今回（図３）の形状を説明モデルとしたが、とにかく薄く柔らかい水切りゴミ袋をこのような方法で固定し、カバー作業を簡単円滑にする。